(57)【要約】【課題】切れ味の向上を図ることができ、且つ、刃先の丸まりを防止することができるロータリー式電気かみそりを提供する。【解決手段】本発明に係るロータリー式電気かみそり１は、複数の髭進入口２２ｃが形成された外刃２２と、該外刃２２の下面２２ｂに摺接しつつ回転する内刃４２と、を有する刃ユニット６を備えるロータリー式電気かみそりであって、前記内刃４２は、複数の小刃４２Ａを有し、前記小刃４２Ａは、刃先４２ａのすくい角の角度が径方向の位置によって小さい角度と大きい角度とを有する形状に形成されている。【選択図】図４
2015226618.tif 000002
【特許請求の範囲】
【請求項１】
複数の髭進入口が形成された外刃と、該外刃の下面に摺接しつつ回転する内刃と、を有する刃ユニットを備えるロータリー式電気かみそりであって、
前記内刃は、複数の小刃を有し、
前記小刃は、刃先のすくい角の角度が径方向の位置によって小さい角度と大きい角度とを有する形状に形成されていること
を特徴とするロータリー式電気かみそり。
【請求項２】
前記小刃は、刃先の径方向中央位置のすくい角の角度が相対的に小さい角度を有し、刃先の径方向外側位置および径方向内側位置のすくい角の角度が相対的に大きい角度を有する形状に形成されていること
を特徴とする請求項１記載のロータリー式電気かみそり。
【請求項３】
前記小刃は、刃先の径方向外側位置のすくい角の角度をα、刃先の径方向中央位置のすくい角の角度をβ、刃先の径方向内側位置のすくい角の角度をγ、としたときに、
β＜α、且つ、β＜γ
となる形状に形成されていること
を特徴とする請求項２記載のロータリー式電気かみそり。
【請求項４】
前記小刃は、
３０°≦α≦８０°、２０°≦β≦４５°、３０°≦γ≦８０°
であって、
β＜α、且つ、β＜γ
となる形状に形成されていることを特徴とする請求項３記載のロータリー式電気かみそり。
【請求項５】
前記小刃は、上端面を含む上端部領域において、回転面と平行な断面における回転方向後方側の領域を減じることによって形成される肉薄部を有すること
を特徴とする請求項１〜４のいずれか一項に記載のロータリー式電気かみそり。
【発明の詳細な説明】
【技術分野】
【０００１】
本発明は、ロータリー式電気かみそりに関する。
【背景技術】
【０００２】
例えば特許文献１に記載された、複数の髭進入口が形成された外刃と、外刃の下面に摺接しつつ回転する内刃とを備えて、髭進入口に進入した髭を切断するロータリー式電気かみそりが知られている。
【先行技術文献】
【特許文献】
【０００３】
【特許文献１】特開２００７−１３５９９１号公報
【発明の概要】
【発明が解決しようとする課題】
【０００４】
ここで、本願発明者の鋭意研究によって、特許文献１に例示されるような内刃を備えるロータリー式電気かみそりにおいては、内刃（小刃）の刃先のすくい角の角度を鋭角に形成することによって髭の切れ味を良くすることができることが明らかとなった。
【０００５】
その一方で、内刃（小刃）の刃先のすくい角の角度を鋭角に形成した場合には、刃先の形状が薄くなり剛性が低下してしまうために、使用（髭剃り）をするにつれて、徐々に刃先が丸まって切れ味が低下してしまうという相反する課題が生じ得ることが明らかとなった。
【０００６】
本発明は、上記事情に鑑みてなされ、切れ味の向上を図ることができ、且つ、刃先の丸まりを防止することができるロータリー式電気かみそりを提供することを目的とする。
【課題を解決するための手段】
【０００７】
一実施形態として、以下に開示するような解決手段により、前記課題を解決する。
【０００８】
開示のロータリー式電気かみそりは、複数の髭進入口が形成された外刃と、該外刃の下面に摺接しつつ回転する内刃と、を有する刃ユニットを備えるロータリー式電気かみそりであって、前記内刃は、複数の小刃を有し、前記小刃は、刃先のすくい角の角度が径方向の位置によって小さい角度と大きい角度とを有する形状に形成されていることを特徴とする。
【発明の効果】
【０００９】
本発明によれば、髭剃り時における切れ味の向上を図ることができ、且つ、継時的な刃先の丸まりを防止することができる。
【図面の簡単な説明】
【００１０】
【図１】本発明の実施形態に係るロータリー式電気かみそりの例を示す概略図（斜視図）である。
【図２】図1に示すロータリー式電気かみそりのヘッド部の例を示す概略図（分解斜視図）である。
【図３】図１に示すロータリー式電気かみそりの内刃の例を示す概略図である。
【図４】図１に示すロータリー式電気かみそりの内刃の小刃および外刃の一部を示す概略図（側面図）である。
【図５】図３に示す内刃の小刃の例を示す拡大図である。
【発明を実施するための形態】
【００１１】
以下、図面を参照して、本発明の実施形態について詳しく説明する。図１は、本実施形態に係るロータリー式電気かみそり１の例を示す概略図（斜視図）である。また、図２は、ロータリー式電気かみそり１のヘッド部３の例を示す概略図（分解斜視図）である。なお、実施形態を説明するための全図において、同一の機能を有する部材には同一の符号を付し、その繰り返しの説明は省略する場合がある。
【００１２】
本実施形態に係るロータリー式電気かみそり１は、図１、２に示すように、多数の髭進入口（後述のスリット）２２ｃが貫通形成された外刃２２と、当該外刃２２の下面に摺接しつつ回転する内刃４２とを有し、髭進入口２２ｃに進入した髭を外刃２２と内刃４２とでカットするロータリー式電気かみそりである。なお、外刃２２と内刃４２とを備えて構成される刃ユニット６を三組有するロータリー式電気かみそりを例に挙げて説明するが、これに限定されるものではない。
【００１３】
図１において、符号２は本体部であり、略円柱状のケース１０を備えている。このケース１０の内部には、内刃４２を回転駆動するモータ、モータに電力を供給する電池、回転駆動等の制御を行う制御部（いずれも不図示）が収容されている。ケース１０の前面には電源のオン・オフ等を行うスイッチボタン１６が設けられ、このスイッチボタンの下方には電池の充電残量等を示すＬＥＤランプからなる表示部１７が設けられている。
【００１４】
図２に示すように、ヘッド部３は、本体部２のケース１０の上部に連結されて保持されるヘッドケース３２と、このヘッドケース３２に上方から被される刃枠３０と、ヘッドケース３２の内底部に収容された駆動機構（不図示）と、刃枠３０に僅かに上下動可能かつ揺動可能に保持された三組の刃ユニット６とを備えている。ここで、各刃ユニット６は、略円盤状の外刃２２と、この外刃２２の下面（内面）に摺接しながら回転する内刃４２とを備えている。また、三組の刃ユニット６は平面視で、三角形となるように配設されている。なお、本実施形態は、前述の通り、刃ユニット６を三組備える場合の例であるが、刃ユニットが三組以外の場合においても基本的な構成は同様に考えればよい。
【００１５】
ここで、外刃２２は、髭進入口となる多数の放射状のスリット２２ｃが軸方向（すなわち内刃の回転軸の軸方向と同方向）に貫通して形成され、このスリット２２ｃに入った髭を内刃４２がカットする構成である。すなわち、外刃２２は、上面２２ａが使用者の肌に接する髭剃り面となり、スリット２２ｃが上面（髭剃り面）２２ａに開口する構成となる。一例として、上面（髭剃り面）２２ａは環状の平面に形成されている。また、外刃２２は周縁が下方に折曲された形状を有しており、この周縁には外刃リング２４が嵌め合わされている。なおこの外刃リング２４の内周にはストッパリング２６が嵌め込まれて、外刃２２を外刃リング２４に固定している。
【００１６】
一方、内刃４２は、内刃保持台４４に固定され、この内刃保持台４４の下部にモータの出力軸と接続される内刃駆動軸（不図示）の上端が嵌合される凹部が形成されている。この内刃４２は外刃リング２４に嵌め込まれた内刃受け４６により外刃２２側に揺動可能に保持され、これらにより三組の独立した刃ユニット６が形成される。
【００１７】
以上の構成を備えて、刃ユニット６が組み立てられることによって、外刃２２（後述の下面２２ｂ）に、内刃４２（後述の小刃４２Ａ）が当接する状態となる。この状態で、内刃４２を回転駆動することによって、髭進入口（スリット）２２ｃに入った髭を内刃４２（小刃４２Ａ）の刃先でカットすることができる。
【００１８】
ここで、内刃４２の構成について、図３、４を用いて詳しく説明する。図３は、内刃４２の例を示す概略図であって、図３（ａ）は斜視図、図３（ｂ）は平面図である。また、図４は、内刃４２の小刃４２Ａおよび外刃２２の一部を示す拡大図（側面図）である。なお、各図中、内刃４２の回転方向を矢印Ｆの方向として示す。
【００１９】
図３、４に示すように、本実施形態に係る内刃４２は、金属板の一部を板面４２Ｂに対して起立させた複数の小刃４２Ａを備えて構成される（図の簡素化のため、一部の小刃のみに符号を記入している）。一例として、小刃４２Ａは、金属板の板面４２Ｂに対する回転方向前方側の角（起立角）の角度θが、４５°≦θ≦１３５°となるように起立させ、且つ、上端部を回転方向前方側に向けて折曲させて形成されている。
【００２０】
本実施形態においては、内刃４２はステンレス鋼からなる金属板を用いて、プレス加工による型抜きおよび折曲を行って、一体構造として形成される。このように、内刃４２を、簡素な構造で、且つ、より少ない工程で形成することが可能となるため、部品コストおよび組み立てコストの低減を図ることが可能となる。ただし、一体構造に限定されるものではない。
【００２１】
本実施形態に係る小刃４２Ａは、一例として、一辺が１［ｍｍ］程度で他辺が０．５［ｍｍ］程度の矩形断面を有する略角柱状であって、長さ（根元から刃先までの長さ）が３［ｍｍ］程度に形成されている。ただし、この寸法形状に限定されるものではない。なお、長さをより短くする方が、小刃４２Ａの剛性を向上させることができ、作動中に撓みや振動が発生することを防止できるため、切れ味が良くなる。
【００２２】
また、小刃４２Ａは、回転方向における前方側の先端に、髭進入口（スリット）２２ｃに進入した髭を切断する刃先４２ａが形成されている。より詳しくは、小刃４２Ａにおいて、回転方向における前方側の面４２ｂと、上端面４２ｃとによって規定される上端縁が、刃先４２ａとなる。
【００２３】
本実施形態における小刃４２Ａの構成例を図５に示す。図５（ａ）は、図３（ｂ）におけるＹ部拡大図すなわち小刃４２Ａの平面視の拡大図である。また、図５（ｂ）は、図５（ａ）におけるＡ−Ａ線断面図すなわち小刃４２Ａの径方向外側位置の断面図（径方向と直交する面による断面図）である。また、図５（ｃ）は、図５（ａ）におけるＢ−Ｂ線断面図すなわち小刃４２Ａの径方向中央位置の断面図（径方向と直交する面による断面図）である。図５（ｄ）は、図５（ａ）におけるＣ−Ｃ線断面図すなわち小刃４２Ａの径方向内側位置の断面図（径方向と直交する面による断面図）である。図５（ａ）〜５（ｄ）に示すように、刃先４２ａの径方向外側位置のすくい角の角度をα、刃先４２ａの径方向中央位置のすくい角の角度をβ、刃先４２ａの径方向内側位置のすくい角の角度をγ、とする。
【００２４】
本実施形態に係る小刃４２Ａは、刃先４２ａのすくい角の角度が径方向の位置によって小さい角度と大きい角度とを有する形状に形成されていることを特徴とする。
【００２５】
例えば、小刃４２Ａは、刃先４２ａの径方向中央位置のすくい角の角度βが相対的に小さい角度を有する形状に形成されている。これに対して、刃先４２ａの径方向外側位置のすくい角の角度αが相対的に大きい角度を有する形状に形成されていると共に、刃先４２ａの径方向内側位置のすくい角の角度γが相対的に大きい角度を有する形状に形成されている。なお、αとγとの関係は、特に限定されるものではなく、いずれが大きくてもよく、あるいは同じ大きさであってもよい。
【００２６】
より具体的には、本実施形態に係る小刃４２Ａは、刃先４２ａの形状が
β＜α、且つ、β＜γ
となるように形成されている。なお、前述の通り、αとγとの関係は、
γ≦α、もしくは、α≦γ
のいずれであってもよい。
【００２７】
一例として、小刃は、刃先４２ａの形状が
３０°≦α≦８０°、２０°≦β≦４５°、３０°≦γ≦８０°
をそれぞれ充足するα、β、γであって、
β＜α、且つ、β＜γ
となるように形成されている。
【００２８】
この構成によれば、小刃４２Ａは、刃先４２ａにおける相対的に小さいすなわち鋭利な角度のすくい角を有する部位（すなわち刃先４２ａの径方向中央の部位）を備えて構成されており、当該部位によって髭Ｘを切断する際に、切れ味が向上する効果が得られる。ただし、当該部位は、刃先４２ａのすくい角の角度が小さく形成されることによって、刃先４２ａの形状が相対的に薄くなり剛性が低下してしまう。したがって、使用（髭剃り）をするにつれて、徐々に刃先が丸まって切れ味が低下してしまうという課題が生じ得る。
【００２９】
一方、小刃４２Ａは、刃先４２ａにおける相対的に大きいすなわち鋭利ではない角度のすくい角を有する部位（すなわち刃先４２ａの径方向外側の部位および径方向内側の部位）を備えて構成されている。当該部位は、刃先４２ａのすくい角の角度が大きく形成されることによって、刃先４２ａの形状が相対的に厚くなり剛性を上げることが可能となる。したがって、使用（髭剃り）をするにつれて、徐々に刃先が丸まって切れ味が低下してしまうことを防止することが可能となる。
【００３０】
このように、本実施形態に係る内刃の小刃は、径方向中央位置のすくい角の角度βが小さく、且つ、径方向外側位置および内側位置のすくい角の角度α、γが大きい形状の刃先を備える構成によって、相反する課題の解決が可能となる。すなわち、髭剃り時における切れ味の良さを向上・維持させることができ、且つ、使用を重ねることによって刃先４２ａの丸まりが生じて切れ味が低下してしまうことを防止できる。
【００３１】
また、小刃４２Ａは、上端面４２ｃを含む上端部領域において、回転面と平行な断面（すなわち、金属板の板面４２Ｂと平行な面による断面）における回転方向後方側の領域を減じることによって形成される肉薄部４２ｄが、回転方向と直交する方向（すなわち、径方向）の一部領域（本実施形態では、径方向外側位置および内側位置）に形成されている。これと対応して、回転面と平行な断面における回転方向後方側の領域を減じない箇所は、肉厚部４２ｅとして、径方向の残りの領域（本実施形態では、径方向中央位置）に形成されることとなる。
【００３２】
すなわち、回転方向の寸法において、肉薄部４２ｄは相対的に短く、肉厚部４２ｅは相対的に長い形状を有している。本実施形態においては、上端面４２ｃの形状が回転方向後方側に向かって凸状となる形状に形成されている（図５（ａ）参照）。なお、肉薄部４２ｄは、一例としてプレス加工によって形成されるが、この加工方法に限定されるものではない。
【００３３】
この構成によれば、小刃４２Ａの上端部領域において、径方向の一部領域に肉薄部４２ｄが形成されることによって、小刃４２Ａの上端部が研磨されて形成される上端面４２ｃの面積を、起立形成した小刃の上端部を単に回転面と平行な面で切断しただけの場合と比較してより小さい面積に形成することが可能となる。このように、外刃２２の下面２２ｂと摺接する小刃４２Ａの上端面４２ｃの面積をより小さくできるため、摺動抵抗を低減することが可能となる。
【００３４】
ここで、径方向の全部領域を肉薄部として形成してしまうと、小刃４２Ａの上端部の強度が確保できなくなってしまう。これに対して、本実施形態においては、径方向の一部領域に肉薄部４２ｄを形成し、残りの領域に肉厚部４２ｅを形成する構成によって、当該肉厚部４２ｅを補強リブとして作用させることができる。その結果、小刃４２Ａの上端面４２ｃの面積を小さくしつつも、小刃４２Ａの上端部の強度を確保することが可能となる。
【００３５】
特に、本実施形態においては、小刃４２Ａの上端部の径方向中央位置の強度を確保することができるため、当該径方向中央位置の刃先４２ａのすくい角の角度を相対的に小さい角度に形成する構成が実現できる。
【００３６】
以上、説明した通り、本発明に係るロータリー式電気かみそりによれば、髭剃り時における切れ味の良さを向上・維持させることが可能となる。その一方で、使用するにつれて徐々に刃先が丸まって切れ味が低下してしまうことの防止が可能となる。このように、相反する課題の解決が可能となる。
【００３７】
なお、本発明は、以上説明した実施例に限定されることなく、本発明を逸脱しない範囲において種々変更が可能である。特に、外刃と内刃との組合せ（刃ユニット）を三組有するロータリー式電気かみそりを例に挙げて説明を行ったが、これに限定されるものではない。
【符号の説明】
【００３８】
１  ロータリー式電気かみそり
２  本体部
３  ヘッド部
６  刃ユニット
１０  ケース
１６  スイッチボタン
２２  外刃
２２ａ  外刃の上面（髭剃り面）
２２ｂ  外刃の下面
２２ｃ  スリット（髭進入口）
２４  外刃リング
２６  ストッパリング
３０  刃枠
３２  ヘッドケース
４２  内刃
４２Ａ  小刃
４２Ｂ  金属板の板面
４２ａ  刃先
４２ｂ  小刃の回転方向前方側の面
４２ｃ  小刃の上端面
４２ｄ  肉薄部
４２ｅ  肉厚部
４４  内刃保持台
４６  内刃受け
Ｘ  髭
【図１】
2015226618.tif 000003
【図２】
2015226618.tif 000004
【図３】
2015226618.tif 000005
【図４】
2015226618.tif 000006
【図５】
2015226618.tif 000007